(57)【特許請求の範囲】
【請求項１】
回転軸を中心として回動する回転重錘と、前記回転重錘より前記回転軸側に形成される回転錘体とを備える時計用回転錘において、
前記回転錘体は、前記回転軸側に形成される中心部と、
前記中心部を囲むように形成される環状の外周部と、
前記中心部と前記外周部とを接続するアーム部と、を有し、
前記アーム部は、前記中心部から前記外周部に延びる仮想線に対して、傾斜する傾斜部を有し、
前記中心部、前記アーム部、または前記外周部は、前記回転軸方向の厚みが異なる部位を有し、
前記アーム部または前記重錘部における回転方向には斜面が設けられる時計用回転錘。
【請求項２】
前記回転錘体の表面に酸化膜が部分的に形成される請求項１に記載の時計用回転錘。
【請求項３】
前記回転錘体の表面に窒化膜が部分的に形成される請求項１に記載の時計用回転錘。
【請求項４】
レーザー照射により前記酸化膜が部分的に形成される請求項２に記載の時計用回転錘。
【請求項５】
レーザー照射により前記窒化膜が部分的に形成される請求項３に記載の時計用回転錘。
【請求項６】
前記アーム部は突起を有する請求項１乃至請求項５のいずれか一項に記載の時計用回転錘。
【請求項７】
前記突起は前記回転錘体の回転円周に沿う方向に突出する請求項６に記載の時計用回転錘。
【請求項８】
前記突起が前記中心部よりも前記外周部側に偏って形成される請求項７に記載の時計用回転錘。
【請求項９】
前記外周部が突起を有する請求項１乃至請求項５のいずれか一項に記載の時計用回転錘。
【請求項１０】
前記アーム部が円環状に形成される請求項１乃至請求項５のいずれか一項に記載の時計用回転錘。
【請求項１１】
前記中心部、前記アーム部、および前記外周部は一体に成形される請求項１乃至請求項５のいずれか一項に記載の時計用回転錘。
【請求項１２】
前記回転錘の前記回転錘体をチタン又はチタン合金で作製する請求項１に記載の時計用回転錘。
【請求項１３】
請求項１に記載の時計用回転錘と、前記時計用回転錘の回転トルクを伝達する輪列を有する時計。
【発明の詳細な説明】
【技術分野】
【０００１】
本発明は、腕の動きや時計の姿勢変化により軸周りに回転する回転錘と、この回転錘の回動を時計の巻き上げに利用する時計に関するものである。
【背景技術】
【０００２】
従来より、時計が装着された状態で腕を動かすことに伴う加速度運動により回転錘を回転又は往復運動させ、この回転錘が回転するトルクで香箱車のぜんまいの巻き上げや発電機の回転駆動を行う腕時計が知られている。回転錘の回転駆動力が大きいほどぜんまいが巻き上げられ、時計の運針に必要なエネルギーが蓄積される。このエネルギーにより時計が駆動しているため、回転錘の回転運動が行われている限り時計の連続駆動が可能である。例えば、平面視で略扇型形状であり、全面が金属等で形成される略平板形状の回転錘が知られている（特許文献１、２）。かかる従来の回転錘においては、回転錘の慣性モーメントを大きくするため、回転重錘を回転錘の外周部に配置することで、回転錘の重心位置を回転中心から遠ざけるよう設計されている。また、回転錘体は、時計内部のレイアウトの制限もあり、薄い板状で形成されており、回転錘体は重量部となる回転重錘を支持している。薄板状の回転錘体が回転重錘を支持できるようにするため、全面を金属材料等で隙間無く形成する構造とすることで回転錘体の強度を維持している。
【先行技術文献】
【特許文献】
【０００３】
【特許文献１】特開２０００−０６５９６２号公報
【特許文献２】特開２００３−１３０９６６号公報
【発明の概要】
【発明が解決しようとする課題】
【０００４】
ところで、回転錘が時計の外観の一部を構成する場合には、その装飾性を高めるため、回転錘体の内側を大きく削除することで空間を設け、回転錘体の裏側のムーブメントを可視可能にする必要がある。かかる場合には、回転錘体が回転重錘を支持する強度を確保できなくなる恐れが生じる。また、強度低下により、回転錘の回転効率を所望の効率に維持することが困難になる恐れも生じる。
【０００５】
本発明は、かかる事情に鑑みてなされたものであって、その目的は、所望の強度を確保しつつ、回転効率を維持できる時計用回転錘および時計用回転錘を備えた時計を提供することにある。
【課題を解決するための手段】
【０００６】
上記の課題を解決するために、本発明に係る時計用回転錘は、回転軸を中心として回動する回転重錘と、回転重錘より前記回転軸側に形成される回転錘体とを備える時計用回転錘であって、回転錘体は、回転軸側に形成される中心部と、中心部を囲むように形成される環状の外周部と、中心部と外周部とを接続するアーム部と、を有し、アーム部は、中心部から外周部に延びる仮想線に対して、傾斜する傾斜部を有する形状であることを特徴とする。
【０００７】
かかる構成によれば、回転錘の強度を確保しつつ、回転効率を維持することができる。すなわち、環状の外周部に接続されるアーム部により回転錘体が形成されているので、回転重錘は回転軸の周囲全周にわたって設けられるアーム部により支持されることになる。よって、裏側の精巧なムーブメント構造を可視可能にするという装飾性を得つつ、回転錘の強度を確保できるようになる。また、アームは、中心部から外周部に延びる仮想線、即ち、半径となる線分に対して傾斜して構成されている。よって、スペースが制限された回転錘の面内において、アーム部の回転錘体に占める面積を確保できるようになる。また、周囲に空隙を有するアーム部により回転錘体のバネ性が増すことになるので、外部からの衝撃が回転軸に到達する途中で吸収され、回転錘自身や回転錘から回転を伝達される輪列等の破損や劣化を防止することができる。よって、さらに回転錘の強度を確保できるようになる。したがって、傾斜部を有するアーム部が環状の外周部に接続されることにより、回転錘の強度が確保されるとともに、回転効率を損なうことが抑えられる。よって、回転錘の回転効率が維持されるようになる。
【０００８】
また、本発明に係る時計用回転錘は、回転の中心部、アーム部、または外周部は、回転軸方向の厚みが異なる部位を有することを特徴とする。また、アーム部または回転重錘における回転方向には斜面が設けられていることを特徴とする。
かかる構成によれば、上述の効果に加え、回転錘の回転方向の空気の流れに垂直に抵抗を受ける面を小さくすることができ、空気抵抗を低減することが可能となる。従って、回転効率、ひいては、ぜんまいの巻上げ効率を更に向上させることができ、駆動エネルギーを容易に蓄積することができる。
【０００９】
また、本発明に係る時計用回転錘は、回転錘体の表面に酸化膜が部分的に形成されていることを特徴とする。また、回転錘体の表面に窒化膜が部分的に形成されていることを特徴とする。また、本発明に係る時計用回転錘は、レーザー照射により酸化が部分的に形成されることを特徴とする。また、レーザー照射により窒化膜が部分的に形成されていることを特徴とする。
かかる構成によれば、上述の効果に加え、部分的に硬度を高めることができ、部品の耐久性を高めることができる。また、酸化膜により干渉色を発色させた場合、装飾性を高めることができ、付加価値の高い部品を得ることができる。窒化膜を形成した場合は黄金色となり装飾性が高まり、更により高い硬度を得ることができる。また、レーザーを照射し、酸化膜や窒化膜による発色を得た場合、微細なパターンを得ることができ、より外観性を高めることができる。また、微細な範囲の強度を部分的に高めることができる。
【００１０】
また、本発明に係る時計用回転錘のアーム部は突起を有することを特徴とする。
かかる構成によれば、上述の効果に加え、突起の形成により回転錘体の強度を向上させるとともに、重心位置を変更することができるようになる。従って重心位置を変更することにより慣性モーメントを変更させることができ、回転錘の回転効率及びぜんまいの巻き上げ効率を向上させることができる。
【００１１】
また、本発明に係る時計用回転錘に形成される突起は、回転錘体の回転円周に沿う方向に突出することを特徴とする。
かかる構成によれば、上述の効果に加え、突起による空気の切り裂き効果が期待できるようになるので、回転時の空気抵抗をより低減することができ、回転錘の回転効率及びぜんまいの巻き上げ効率を向上させることができる。
【００１２】
また、本発明に係る時計用回転錘は、突起が中心部よりも外周部側に偏って形成されていることを特徴とする。
かかる構成によれば、上述の効果に加え、重心位置をより外周位置に変更することができるようになる。従って、慣性モーメントを向上させることができ、回転錘の回転効率及びぜんまいの巻き上げ効率を向上させることができる。
【００１３】
また、本発明に係る時計用回転錘は、外周部が突起を有することを特徴とする。
かかる構成によれば、上述の効果に加え、外周部の強度をより向上させることができるので、特に回転重錘を伝わってくる衝撃に対して、回転軸から最も遠い位置で緩和・吸収できるようになり、耐衝撃性が向上し、回転錘の強度が向上する。したがって回転錘の回転効率及びぜんまいの巻き上げ効率を向上させることができる。
【００１４】
また、本発明に係る時計用回転錘は、アーム部が円環状に形成されていることを特徴とする。
かかる構成によれば、上述の効果に加え、時計の落下等による衝撃が発生した場合のアーム自体による衝撃吸収性が向上し、回転錘やムーブメントの破損を防止することができる。よって、回転錘の強度を更に確保することができる。したがって回転錘の回転効率及びぜんまいの巻き上げ効率を向上させることができる。
【００１５】
また、本発明に係る時計用回転錘は、中心部、アーム部、および外周部は一体に成形されていることを特徴とする。かかる構成によれば、上述の効果に加え、回転錘の強度をより向上させることができる。
また、本発明に係る時計用回転錘の回転錘体をチタン又はチタン合金で形成することを特徴とする。
かかる構成によれば、上述の効果に加え、以下の効果を得ることができる。即ち、チタン材及びチタン合金は軽量且つ強度が高い。軽量という特徴により、回転錘の設計を行う際に回転錘における回転錘体の重量の割合が小さくなるため、重心バランスは回転重錘のみで考えればよく、設計が容易になる。また、チタン材やチタン合金は強度が強く、更に他の金属よりも金属疲労が起こり難く、回転や振動など繰り返し力を受ける回転錘体にとっては回転錘体をチタン材で形成することは有効である。従って、回転錘体の強度が向上し、慣性モーメントが確保でき、巻き上げ効率を向上させた回転錘を提供することができる。また、チタン材やチタン合金は陽極酸化により鮮やかな干渉色を発色させることが可能であり、デザイン性を向上させることができ、美観性に優れた回転錘を提供することが可能である。
【００１６】
また、本発明に係る時計用回転錘は、上述の時計用回転錘と、時計用回転錘の回転トルクを伝達する輪列を有する腕時計であることを特徴とする。かかる構成によれば、上述の効果を備える時計用回転錘の動作により生じる回転トルクを輪列を介して巻き上げに利用することができる腕時計を提供することができる。
【発明の効果】
【００１７】
本発明によれば、回転錘の強度を確保しつつ、回転効率及び巻き上げ効率を向上させることができる。
【図面の簡単な説明】
【００１８】
【図１】本発明の第１実施形態における自動巻機構を取り外した状態でムーブメントを表側からみた平面図である。
【図２】本発明の第１実施形態における自動巻機構の概略構成図である。
【図３】（ａ）は、本発明の第１実施形態における回転錘の平面図である。（ｂ）は、本発明の第１実施形態における回転錘の斜視図である。（ｃ）は、本発明の第１実施形態における回転錘の（ｂ）とは別の角度からみた斜視図である。
【図４】本発明の第１実施形態における回転錘の断面図である。
【図５】本発明の第１実施形態における回転錘の変形例を示す平面図である。
【図６】（a）は、本発明の第２実施形態における回転錘の平面図である。（ｂ）は、本発明の第２実施形態における回転錘の断面図である。
【図７】本発明の第３実施形態における回転錘の平面図である。
【図８】本発明の第４実施形態における回転錘の平面図である。
【発明を実施するための形態】
【００１９】
（第１実施形態）
（自動巻腕時計）
本発明の第１実施形態を図１〜図４に基づいて説明する。本実施形態は、非限定的な例証として各図面において与えられる。図１は、本実施形態の回転錘を搭載した自動巻機構を取り外した状態でムーブメントを表側からみた平面図、図２は、本実施形態の回転錘を搭載した自動巻機構の概略構成図である。
【００２０】
図１、図２に示すように、本発明に係る部品（例えば、後述の回転錘１６０）が組み込まれた自動巻腕時計１０は、ムーブメント１００と、このムーブメント１００を収納する不図示のケーシングとにより構成され、ムーブメント１００に不図示の文字板が取り付けられている。ムーブメント１００は、基板を構成する地板１０２と、一番受１０５と、二番受１０６と、てんぷ受１０８と、アンクル受１０９とを備えている。二番受１０６は、一番受１０５と地板１０２との間に配置される。地板１０２には巻真案内孔１０３が形成されており、ここに巻真１１０が回転可能に組み込まれている。ここで、地板１０２の両側のうち、文字板が配置される側（図１、図２における紙面奥側）をムーブメント１００の裏側と称し、文字板が配置される側とは反対側（図１、図２における紙面手前側）をムーブメント１００の表側と称する。ムーブメント１００の裏側には、裏輪列と称する輪列や、おしどり１４０、かんぬき１４２、およびおしどり押さえ１４４を含む切換装置が配置されている。この切換装置により、巻真１１０の軸方向の位置が決定するようになっている。
【００２１】
一方、ムーブメント１００の表側には、表輪列と称する輪列、表輪列の回転を制御するための脱進・調速装置４０、および自動巻機構６０等が組み込まれている。
【００２２】
表輪列は、香箱車１２０、二番車１２４、三番車１２６、四番車１２８により構成されている。香箱車１２０は、一番受１０５と地板１０２とにより回転可能に支持されており、不図示のぜんまいを有している。そして、巻真１０４を回転させると不図示のつづみ車が回転し、さらにきち車、丸穴車（何れも不図示）、および角穴車１１８を介してぜんまいが巻き上げられる。さらに、角穴車１１８の歯部には、板状のこはぜ１１７が噛合されており、これにより、角穴車１１８の回転が規制されるようになっている。
【００２３】
一方、ぜんまいが巻き戻される際の回転力により香箱車１２０が回転し、さらに二番車１２４が回転するように構成されている。二番車１２４は、二番受１０６と地板１０２とにより回転可能に支持されている。二番車１２４が回転すると、三番車１２６が回転する。
【００２４】
三番車１２６は、一番受１０５と地板１０２とにより回転可能に支持されている。三番車１２６が回転すると、四番車１２８が回転する。四番車１２８は、一番受１０５と二番受１０６とにより回転可能に支持されている。四番車１２８が回転することにより脱進・調速装置４０が駆動する。
【００２５】
（脱進・調速装置）
脱進・調速装置４０は、てんぷ１３６と、がんぎ車１３４と、アンクル１３８とを備えている。アンクル１３８は、アンクル受１０９と地板１０２とにより回転可能に支持されている。てんぷ１３６は、てんぷ受１０８と地板１０２とにより回転可能に支持されている。てんぷ１３６は、てん真１３６ａと、てん輪１３６ｂと、ひげぜんまい１３６ｃとを有している。
【００２６】
このような構成のもと、脱進・調速装置４０は、二番車１２４が１時間に１回転するように制御する。二番車１２４の回転に基づいて不図示の筒かなが同時に回転するように構成されており、この筒かなに取り付けられた不図示の分針が「分」を表示するようになっている。
【００２７】
また、筒かなには、二番車１２４に対するスリップ機構が設けられている。筒かなの回転に基づいて、日の裏車の回転を介し、筒車（何れも不図示）が１２時間に１回転するように構成されている。そして、筒車に取付けられた不図示の時針が「時」を表示するようになっている。
【００２８】
さらに、二番車１２４の回転により、三番車１２６の回転を介し、四番車１２８が１分間に１回転するように構成されている。四番車１２８には、不図示の秒針が取り付けられている。
【００２９】
（自動巻機構）
自動巻機構６０は、この自動巻機構６０を構成する回転錘１６０をユーザーの腕の動きで動かし、香箱車１２０の不図示のぜんまいを巻き上げるものである。回転錘１６０は、
ボールベアリング１６２と、回転錘体１６４と、回転重錘１６６とを有している。ボールベアリング１６２は、内輪と、外輪と、これら外輪と内輪との間に設けられた複数のボール（何れも不図示）とを有しており、内輪がボールベアリング止めねじ１６８を介して一番受１０５に固定されている。
【００３０】
（回転錘体、および回転重錘）
次に、回転錘体および回転重錘を有する回転錘について説明する。図３（ａ）は、本実施形態に係る回転錘の平面図であり、図３（ｂ）は、本実施形態に係る回転錘の表側から見た斜視図、図３（ｃ）は本実施形態に係る回転錘の裏側から見た斜視図、図４は本実施形態に係る回転錘の断面図である。
【００３１】
回転錘１６０は回転中心側に配置された肉薄の回転錘体１６４とこの回転錘体１６４の外周側に配置された回転重錘１６６により構成され、回転錘体１６４の回転中心には、不図示のボールベアリング１６２が配置され、ボールベアリング１６２の外輪と回転錘体１６４とが固定されている。回転錘体１６４は０．２ｍｍ〜０．５ｍｍ程度の薄板例えば真鍮や洋白などの金属板で構成され、回転重錘１６６はその外周縁部分がムーブメント側に突出して厚肉とされ、回転錘体１６４の外周縁に回転重錘１６６がビス６１を介して固定されている。この回転重錘１６６は比較的に大きな比重を有する材料例えば重金属粉末を主成分とするコンパウンド、例えばタングステン（Ｗ）やニッケル（Ｎｉ）や銅（Ｃｕ）を含有させた粉末を成形・焼成することにより形成されたものである。
【００３２】
回転重錘１６６は、回転錘体１６４の外周縁に対応するように湾曲形成されており、回転錘体１６４を載置可能な座面６３ａを有している。座面６３ａには、ビス６１を挿通可能な挿通孔１６６ａが複数（この第１実施形態では３つ）形成されている。一方、回転錘体１６４の外周部４６には、回転重錘１６６の挿通孔１６６ａに対応する箇所に、ビス６１を挿通可能な挿通孔１６４ａが形成されている。なお、回転重錘は回転錘体の外周縁全てに同じ半径の同じ円弧でなくてよい。
【００３３】
このような構成のもと、回転重錘１６６の座面６３ａに回転錘体１６４の外周部を載置し、各挿通孔１６４ａ，１６６ａにビス６１を挿入した後、ビス６１の先端を座屈変形させることにより、回転錘体１６４と回転重錘１６６とが一体化される。
【００３４】
本実施形態では、図３（ａ）に示すように、回転錘１６０の回転錘体１６４は、平面視において環状の外周部１６４ｄに、中心部１６４ｋから延びる仮想線ＯＡに対して傾斜角θで傾斜する傾斜部１７０を有するアーム部１６４ｃが接続されることで形成される。なお、仮想線ＯＡは、回転錘体１６４の回転軸中心Ｏから半径方向に延びる線分である。このように構成することにより、例えば、平面視で略扇型形状であり、全面が金属等で形成される略平板形状で構成されている従来の回転錘と比較して、回転重錘１６６は回転軸Ｏの周囲における全周にわたって設けられるアーム部１６４ｃにより支持されているので、回転錘の強度を確保しつつ、回転効率を維持することができる。即ち、時計内部の部品というスペースが制限された回転錘１６０の平面において、アーム部１６４ｃの回転錘体１６４に占める面積を確保することができる。そして、アーム部１６４ｃは複数存在し、アーム部１６４ｃ同士の間に空隙Ｇが存在するので、アーム部１６４ｃにより回転錘体１６４のバネ性が増すことになる。よって、外部からの衝撃が回転軸に到達する途中で吸収され、回転錘１６０自身や回転錘１６０から回転を伝達される輪列等の破損や劣化を防止することができる。したがって、回転錘１６０の回転トルクの減衰が抑制されるようになり、回転効率が損なわれることが抑制される。つまり、傾斜部１７０を有するアーム部１６４ｃが環状の外周部１６４ｄに接続されることにより、回転錘１６０の強度・耐久性が確保されるとともに、回転効率を損なうことが抑えられ、回転効率が維持されるようになる。
【００３５】
なお、アーム部１６４ｃは間隙Ｇにより距離を置いて形成されているので、アーム部１６４ｃが外力に対応してそれぞれ撓むことができる。そして、これらアーム部１６４ｃが回転軸を中心に全周に亘って形成されている。よって、様々な方向からの衝撃を受けても、対応する位置にあるそれぞれのアーム部１６４ｃを主として衝撃を吸収することができる。
【００３６】
なお、傾斜部１７０の傾斜角θの角度を大小設定することにより、回転錘体１６４におけるアーム部１６４ｃの占有面積を調整することができ、回転錘１６０の耐久性を調節することができる。
【００３７】
また、傾斜部１７０を有するアーム部１６４ｃは複数存在し、アーム部１６４ｃ同士の間には空隙Ｇが存在するので、アーム部１６４ｃの空隙Ｇから裏側の精巧なムーブメント構造を視認できるとともに、アーム部１６４ｃの傾斜部１７０により回転錘１６０の耐久性と回転効率を確保することができるようになる。つまり、裏側への視野を確保しつつ、視野窓として形成されたアーム部間の空隙Ｇによる回転錘体１６４の強度低下分を、アーム部１６４ｃの傾斜部１７０により強化することで、回転錘１６０としての耐久性の確保とともに、回転効率の維持確保を達成している。
【００３８】
また、隣り合うアーム部１６４ｃが外周部１６４ｄに接続される箇所同士の円弧に沿った距離ｔ２は、外周部１６４ｄに接続される位置のアーム部１６４ｃの幅ｔ１より大きく形成されている。つまり、アーム部１６４ｃの円周に沿った幅は空隙Ｇの幅より小さく設定されている。これにより、裏側視野の確保をさらに容易にしている。この場合、傾斜部１７０の傾斜角度θをさらに大きくすることで回転錘体１６４の強度と回転効率を確保することができる。また、アーム部１６４ｃが外周部１６４ｄに接続される角度を接続角度αとすると、本実施例では、θとαとを併せるとほぼ直角になるよう構成されている。つまり、アーム部１６４ｃはほぼ直線的に形成されている。
【００３９】
更に、回転の中心部１６４ｋ、アーム部１６４ｃ、または外周部１６４ｄは、回転軸方向の厚みが異なる部位である斜面１６４ｅを有している。このような構成とすることで、上述の効果に加え、回転錘１６０の回転方向の空気の流れに垂直に抵抗を受ける面を小さくすることができ、空気抵抗を低減することが可能となる。従って、回転効率、ひいては、ぜんまいの巻上げ効率を更に向上させることができ、駆動エネルギーを容易に蓄積することができる。また、回転重錘１６６における回転方向に斜面が設けられていてもよい。
【００４０】
図２に戻り、ボールベアリング１６２の外輪には、回転錘かな１７８が設けられている。この回転錘かな１７８は、一番伝え車１８２の一番伝え歯車１８２ａに噛合わされる。一番伝え歯車１８２ａは、一番受１０５と地板１０２とにより回転可能に支持されている。さらに、一番伝え車１８２と一番受１０５との間には、つめレバー１８０が組み込まれている。つめレバー１８０は、一番伝え車１８２の軸心から偏心した形で取り付けられたものであって、引きつめ１８０ａ、および押しつめ１８０ｂを有している。これら引きつめ１８０ａ、および押しつめ１８０ｂは、二番伝え車１８４の二番伝え歯車１８４ａに噛合わされる。
【００４１】
二番伝え車１８４は、二番伝え歯車１８４ａの他に二番伝えかな１８４ｂを有している。二番伝え歯車１８４ａは、回転錘体１６４と一番受１０５との間に位置している。一方、二番伝えかな１８４ｂは、角穴車１１８と噛み合うようになっている。
【００４２】
そして、二番伝え歯車１８４ａに噛合うつめレバー１８０の引きつめ１８０ａ、および押しつめ１８０ｂは、二番伝え歯車１８４ａの中心に向かって弾性力により付勢されている。
【００４３】
このような構成のもと、回転錘１６０が回転すると、回転錘かな１７８も同時に回転し、回転錘かな１７８の回転により、一番伝え車１８２が回転する。この一番伝え車１８２の軸心から偏心した形で取り付けられているつめレバー１８０は、一番伝え車１８２の回転により往復運動を行う。そして、引きつめ１８０ａ、および押しつめ１８０ｂにより二番伝え車１８４を一定の方向に回転させる。すると、二番伝え車１８４の回転により角穴車１１８が回転し、香箱車１２０の不図示のぜんまいを巻き上げる。
【００４４】
本実施形態においては機械式時計について説明を行ったが、時計は機械式であるのに限定されず、例えばクオーツ式でもよい。また、回転錘は、互いに構成材料の異なる２つの部材で構成されているのに限定されず、例えばこれらの２つの部材を一体で形成してもよい。また、回転錘体は真鍮や洋白で構成されているとしたが、その他の材料例えばチタン材やチタン合金材等で形成されていてもよい。
【００４５】
また、時計の好ましい形態としては腕時計であるのに限定されず、例えば懐中時計であってもよい。また、回転錘としては、時計方向および反時計方向のいずれか一方向にのみ回転可能となったもの、および、時計方向および反時計方向の両方向に回転可能となったもののいずれもが採用できる。
【００４６】
従って、本実施形態によれば、回転錘１６０の回転錘体１６４は、平面視において環状でアーム部１６４ｃを有し、アーム部１６４ｃは回転錘１６０の中心から外周側へ延びる仮想線ＯＡに対し傾斜する傾斜部を有したアーム形状で形成されたものであり、尚且つアーム部１６４ｃは回転軸方向の厚みが異なる部位である斜面１６４ｅを有している。このように構成することにより、回転錘のバネ性が増し、衝撃を受けた際に回転錘自体の破損や、輪列等の他部品への影響を低減することができることにより部品の強度及び耐久性を高めることができる。更に、回転時における空気抵抗を低減することができることにより、回転錘の回転効率を向上させることができる。また、アーム形状や斜面を有する形状によりデザイン性が向上し、装飾性の高い回転錘付時計を提供することができる。
【００４７】
次に、本実施形態の変形例を図５に基づいて説明する。図５は、本実施形態に係る回転錘１６０の平面図である。図５に示すように、本変形例の相違点は、回転錘体１６４のアーム部１６４ｃが外周部に延びる仮想線に対して湾曲して形成されていることである。従って、このような構成とすることにより、回転時の空気抵抗をより低減することができ、回転錘１６０の回転効率及びぜんまいの巻き上げ効率を向上させることができる。また、このような形状とすることにより回転錘１６０のデザイン性を向上させることができ、付加価値の高い時計用回転錘及び回転錘を搭載した時計をユーザーに提供することができる。
【００４８】
換言すると、本変形例におけるアーム部１６４ｃが外周部１６４ｄに接続される接続角度α２が、前述の接続角度αより小さく設定されている。かかる構成により、回転錘１６０の裏側視野の確保をさらに容易にすることができる。この場合、傾斜部の傾斜角度θ２をさらに大きくすることで回転錘体の１６４の強度と回転効率を確保することができる。また、傾斜角度θ２を大きくするとともに、接続角度α２を小さくすることで、さらにアーム部４６４ｃの回転錘体１６４における占有面積を確保することができるようになり、前述の視野窓をより確保するとともに、回転錘１６０の強度や耐久性を維持することができるようになり、外乱となる衝撃により回転効率が低下することが抑制されるようになる。
【００４９】
（第２実施形態）
次に、この発明の第２実施形態を図１、図２を援用し、図６（ａ）および（ｂ）に基づいて説明する。図６（ａ）は、本実施形態に係る回転錘１６０の平面図である。図６（ｂ）は、本実施形態に係る回転錘１６０の断面図である。
【００５０】
なお、第１実施形態と同一態様には、同一符号を付して説明する。以降の実施形態についても同様である。なお、図１から図５で説明した第１実施形態の構成を図６で説明する本実施形態の構成に組み合わせることができる。説明を簡潔にするという説明の便宜上、以下においては、本実施形態を第１実施形態と別の実施例として説明し、第１実施形態と重複する箇所の説明を省略する。
【００５１】
この第２実施形態において、自動巻腕時計１０は、ムーブメント１００を有し、ムーブメント１００の表側に、表輪列と称する輪列、表輪列の回転を制御するための脱進・調速装置４０、および自動巻機構６０等が組み込まれている点、自動巻機構６０の回転錘１６０は、ボールベアリング１６２と、回転錘体２６４と、回転重錘２６６とを有し、これら回転錘体２６４、および回転重錘２６６がビス６１を介して固定されている点、回転錘体２６４が平面視において環状でアーム部２６４ｃを有し、アーム部２６４ｃは回転錘１６０の中心から外周側へ延びる仮想線ＯＡに対し傾斜する傾斜部を有した形状で形成されたものであり、尚且つアーム部は回転軸方向の厚みが異なる部位である斜面２６４ｅを有している構成であるなどの基本的構成は、前述した第１実施形態と同様である（脱進・調速装置以下の実施形態についても同様）。
【００５２】
ここで、図６（ａ）、図６（ｂ）に示すように、第２実施形態と前述の第１実施形態との相違点は、回転錘体２６４に酸化膜２６５が形成されている点である。この酸化膜２６５は、図６（ａ）及び図６（ｂ）では中心側に形成されているが、これに限ったことではなく、外周側及びアーム部２６４ｃに形成されていてもよい。また、膜の種類は酸化膜だけでなく、窒化膜であってもよい。
【００５３】
従って、上述の第２実施形態によれば、前述の第１実施形態と同様の効果に加え、酸化膜２６５が形成されている場合、回転錘体２６４を部分的に硬度を高めることができ、部品の耐久性を高めることができる。また、酸化膜２６５により干渉色を発色させた場合、装飾性を高めることができ、付加価値の高い部品を得ることができる。また、窒化膜を形成した場合は黄金色となり装飾性が高まり、更により高い硬度を得ることができる。また、レーザーを照射し、酸化膜２６５や窒化膜による発色を得た場合、微細なパターンを得ることができ、より外観性を高めることができ、また、微細な範囲の強度を部分的に高めることができる。
【００５４】
酸化膜２６５は厚みの異なる部位としても利用され、酸化膜２６５を回転錘１６０の回転方向の空気の流れを整流させるように形成することで、空気抵抗を低減することが可能となる。従って、回転効率、ひいては、ぜんまいの巻上げ効率を更に向上させることができ、駆動エネルギーを容易に蓄積することができる。
【００５５】
なお、酸化膜２６５の形成位置は、中心部２６４ｋ、アーム部２６４ｃ、外周部２６４ｄのそれぞれのみに形成してもよく、それらのさらに一部に形成してもよい。
【００５６】
（第３実施形態）
次に、この発明の第３実施形態を図７に基づいて説明する。図７は、本実施形態に係る回転錘１６０の平面図である。なお、図１から図６で説明した第１および第２実施形態の構成を図７で説明する本実施形態の構成に組み合わせることができる。説明を簡潔にするという説明の便宜上、以下においては、本実施形態を第１および第２実施形態と別の実施例として説明し、第１および第２実施形態と重複する箇所の説明を省略する。
【００５７】
図７に示すように、第１実施形態と前述の第２実施形態との相違点は、回転錘体３６４のアーム部３６４ｃの突起３６４ｆ及び外周部３６４ｄに突起３６４ｇが形成されていることである。
【００５８】
従って、このような構成とすることにより、前述の第１実施形態〜第２実施形態と同様の効果に加え、これらの外周部３６４ｄの突起３６４ｇ及びアーム部３６４ｃの突起３６４ｆが形成されることにより、回転錘体３６４の強度を確保することができ、また突起３６４ｆや、突起３６４ｇが中心部１６４ｋより外周側に形成されることにより、回転錘１６０の重心位置を変更することができる。従って、慣性モーメントを変更可能となることから、ぜんまいの巻上げ効率を向上させることができる。また、突起３６４ｆや突起３６４ｇを形成することにより、空気の切り裂き効果が期待でき、回転時の空気抵抗をより低減することができるため回転錘１６０の回転効率及びぜんまいの巻き上げ効率向上に寄与することができる。また、外周部の突起３６４ｇの形成により、外周部の強度をより向上させることができるので、特に回転重錘３６６を伝わってくる衝撃に対して、回転軸Ｏから最も遠い位置で緩和・吸収できるようになり、耐衝撃性が向上し、回転錘１６０の強度が向上する。また、突起３６４ｆや突起３６４ｇを形成した構成とすることで、デザイン性を向上させることができ、形状バリエーションが多い回転錘１６０を提供することができる。従って、より一層ユーザーの要望に応じた商品を提供することが可能になる。なお、図７ではアーム部の突起３６４ｆが中心部３６４ｋと外周部３６４ｄの中央付近に形成されているが、外周側に形成することもできる。その場合、重心位置をより外周位置に変更することができるようになる。従って、慣性モーメントを向上させることができ、ぜんまいの巻き上げ効率を向上させることができる。
【００５９】
（第４実施形態）
次に、この発明の第４実施形態を図８に基づいて説明する。図８は、本実施形態に係る回転錘１６０の平面図である。なお、図１から図７で説明した第１から第３実施形態の構成を図８で説明する本実施形態の構成に組み合わせることができる。説明を簡潔にするという説明の便宜上、以下においては、本実施形態を第１から第４実施形態と別の実施例として説明し、第１から第４実施形態と重複する箇所の説明を省略する。
【００６０】
図８に示すように、第１実施形態〜第３実施形態との相違点は、回転錘体５６４のアーム部５６４ｃが環状に湾曲して形成されていることである。つまり、半径となる仮想線ＯＡに対するアーム部５６４ｃの傾斜角度が、円周位置によって正と負の両方の値を有するように構成されている。たとえば、図８の傾斜角度θ３と傾斜角度θ４とは逆方向の角度を有している。かかる構成は、前述の実施形態と異なり、傾斜部５７０の向きが、一方向に揃っている構成ではない。よって、外部からの様々な方向からの衝撃に対して、より柔軟に、耐久性を確保することができるようになる。従って、第１実施形態〜第４実施形態と同様の効果に加え、強度を保ちつつ回転錘にバネ性を与え、落下等の衝撃に対して回転錘体５６４が振動を吸収し、回転錘５６４自体の破損や、回転錘１６０の下側に配置される輪列等への衝撃を和らげ、破損や時計の精度への影響を防止することができる。
【００６１】
なお、本発明は上述の実施形態に限られるものではなく、本発明の趣旨を逸脱しない範囲において、上述の実施形態に種々の変更を加えたものを含む。
【００６２】
例えば、図１から図６で説明した第１および第２実施形態の構成と図７で説明した第３実施形態の構成とを組み合わせる形態を提供することができる。つまり、傾斜１６４ｅ、２６４ｅが形成されたアーム部に突起３６４ｆを形成する、または、傾斜１６４ｅ、２６４ｅが形成された外周部に突起３６４ｇを形成することができる。そして、これらアーム部や外周部に、部分的に酸化膜や窒化膜を形成することができる。かかる構成により、上述のような強度確保や回転効率確保を達成することができる。
【００６３】
例えば、図１から図７で説明した第１から第３実施形態の構成と図８で説明した第４実施形態の構成とを組み合わせる形態を提供することができる。つまり、傾斜１６４ｅ、２６４ｅが形成されたアーム部を環状に形成することができる。そして、これらアーム部や外周部に、部分的に酸化膜や窒化膜を形成することができる。加えて、環状のアーム部５６４ｃに突起３６４ｆを形成することができる。外周部５６４ｄに突起３６４ｇを形成することができる。かかる構成により、上述のような強度確保や回転効率確保を達成することができる。
【産業上の利用可能性】
【００６４】
本発明は、時計の回転錘および回転錘を備えた時計に関するものである。
【符号の説明】
【００６５】
１０  自動巻時計（時計）
６１  ピン（固定部材）
１６０  回転錘（部品）
１６４  回転錘体
１６４ｃ  アーム部
１６４ｄ  外周部
１６４ｋ  中心部
１７０  傾斜部
１６６  回転重錘
【図１】
0005964089.tif 000002
【図２】
0005964089.tif 000003
【図３】
0005964089.tif 000004
【図４】
0005964089.tif 000005
【図５】
0005964089.tif 000006
【図６】
0005964089.tif 000007
【図７】
0005964089.tif 000008
【図８】
0005964089.tif 000009